(57)【特許請求の範囲】
【請求項１】
光源と前記光源からの光が照射される被照射面の明るさを検出する明るさセンサとに接続され前記明るさセンサの検出値に応じて前記光源のオンオフのデューティ比を制御して前記光源をパルス点灯させる照明制御装置であって、
前記明るさセンサの検出値を取得し前記光源のパルス点灯周期以上の所定期間における前記検出値の平均値が目標値に近づくように前記デューティ比をフィードバック制御する制御部と、
前記光源がオン状態であるときの前記検出値と前記光源がオフ状態であるときの前記検出値との差分値を差分検出値として求める算出部と、
前記差分検出値と予め設定された基準値との差分絶対値が所定の閾値以上である場合に前記目標値の変更が必要であると判断する判断部と
を備えることを特徴とする照明制御装置。
【請求項２】
前記目標値を設定する設定部を備え、
前記基準値は、前記目標値が設定されたときにおける、前記光源がオン状態であるときの前記検出値と前記光源がオフ状態であるときの前記検出値との差分値であり、
前記設定部は、前記判断部で前記目標値の変更が必要であると判断された場合に、前記基準値に対する前記差分検出値の比率と前記目標値との積を新たな目標値とする
ことを特徴とする請求項１記載の照明制御装置。
【請求項３】
前記目標値を設定する設定部を備え、
前記制御部は、前記判断部で前記目標値の変更が必要であると判断され前記光源がオフ状態であるときの前記検出値が略ゼロである場合に、前記目標値が設定されたときのデューティ比で前記光源をパルス点灯させ、
前記設定部は、前記目標値が設定されたときのデューティ比で前記光源がパルス点灯するときの前記所定期間における前記検出値の平均値を新たな目標値とする
ことを特徴とする請求項１記載の照明制御装置。
【請求項４】
前記光源のこれまでの点灯時間を累積した累積点灯時間を計時する計時部と、
前記光源の点灯開始から寿命までの光出力の特性を予め記憶する記憶部とを備え、
前記設定部は、前記判断部で前記目標値の変更が必要であると判断された場合に、前記目標値が設定されたときの光出力に対する現在の光出力の劣化率を用いて新たな目標値を設定する
ことを特徴とする請求項２または３記載の照明制御装置。
【請求項５】
前記判断部で前記目標値の変更が必要であると判断された場合に前記目標値の変更が必要である旨を報知する報知部を備えることを特徴とする請求項１記載の照明制御装置。
【請求項６】
前記算出部は、前記明るさセンサの検出値を前記光源のパルス点灯周期以下の時間間隔で取得し、取得した複数の検出値の最大値を前記光源がオン状態であるときの検出値とし、前記複数の検出値の最小値を前記光源がオフ状態であるときの検出値とすることを特徴とする請求項１〜５のいずれか１項に記載の照明制御装置。
【請求項７】
請求項１〜６のいずれか１項に記載の照明制御装置と、
光源と、
前記光源からの光が照射される被照射面の明るさを検出する明るさセンサと
を備えることを特徴とする照明制御システム。
【請求項８】
光源からの光が照射される被照射面の明るさを検出する明るさセンサの検出値に応じて前記光源のオンオフのデューティ比を制御して前記光源をパルス点灯させる照明制御方法であって、
前記明るさセンサの検出値を取得する第１のステップと、
前記光源のオンオフ周期以上の所定期間における前記検出値の平均値が目標値に近づくように前記デューティ比をフィードバック制御する第２のステップと、
前記光源がオン状態であるときの前記検出値と前記光源がオフ状態であるときの前記検出値との差分値を差分検出値として求める第３のステップと、
前記差分検出値と予め設定された基準値との差分絶対値が所定の閾値以上である場合に前記目標値の変更が必要であると判断する第４のステップと
を有することを特徴とする照明制御方法。
【発明の詳細な説明】
【技術分野】
【０００１】
本発明は、光源からの光が照射される被照射面の明るさを検出する明るさセンサの検出値に応じて光源のオンオフのデューティ比を制御して光源をパルス点灯させる照明制御装置、この照明制御装置を含む照明制御システム、および照明制御方法に関する。
【背景技術】
【０００２】
従来から、照度センサの検出値（出力値）に応じて光源を点灯制御する照明制御装置が知られている（例えば特許文献１参照）。照度センサは、光源からの光が照射される被照射面（図２の床面ＦＬや机上面ＤＥなど）で反射した反射光ＩＲ，ＥＲ（図２参照）による照度を検出する。照明制御装置は、照度センサの検出値が目標値（設定値）に近づくように光源に制御信号を出力する。制御信号は、光源に指示する調光比に応じたデューティ比のＰＷＭ信号である。調光比とは、光源の定格点灯時（１００％点灯時）の光束に対する比である。
【０００３】
ところで、照度センサは、一般に、被照射面には配置されず、天井面ＣＥ（図２参照）に固定された照明制御装置に一体化して配置される。しかし、被照射面での反射光ＩＲ，ＥＲによる天井面ＣＥの照度は被照射面の照度に比例するから、照明制御装置は、照度センサの検出値が目標値に近づくように光源をフィードバック制御することによって、被照射面の照度を一定にすることができる。
【０００４】
上記照明制御装置によれば、光源からの光ＩＤ以外の光である外光ＥＤ（図２参照）が存在する場合に、外光ＥＤによる照度の分だけ光源の光出力を抑えることができるので、光源の消費電力を低減させることができる。
【０００５】
ところが、被照射面のレイアウトが変更された場合、被照射面の反射率や、被照射面と照度センサとの距離といった条件がレイアウト変更によって変化するため、被照射面の照度と照度センサの検出値との関係が変化する。レイアウト変更としては、例えば、壁紙の張替えや絨毯の取替え、家具の移動などがある。上記照明制御装置は、目標値が一定値であるため、被照射面の照度と照度センサの検出値との関係が変化すると、被照射面を適切な照度にすることができなくなるという問題があった。
【０００６】
上記問題を解決する照明制御装置として、以下に説明する装置がある（例えば特許文献２参照）。特許文献２の照明制御装置は、光源を含む照明装置と、被照射面での反射光による照度を検出する照度センサとに接続され、光源の調光制御を指示するための制御信号を照明装置に出力する。
【０００７】
特許文献２の照明制御装置は、演算部と、記憶部と、制御部とを備える。演算部は、照度センサの出力値を調光比で除した演算値を定期的に演算する。記憶部は、演算部による定期的な演算によって得られた複数の演算値のうち、電源が投入されてからの最小値を最小演算値として記憶する。最小演算値は、外光がない夜間に得られたと推定される。したがって、最小演算値は、光源からの光の反射光のみで得られた値となる。制御部は、電源が切られ再び投入されたときに、記憶部に記憶されている最小演算値を所定の夜間判定閾値と比較する。最小演算値が夜間判定閾値より低い場合、制御部は、最小演算値に所定の基準調光比を乗じた値を目標値に設定し、照度センサの検出値を目標値に近づけるように制御信号を照明装置へ出力する外光追従動作を電源が切られるまで行う。最小演算値が夜間判定閾値より高い場合または記憶部に最小演算値が記憶されていない初回点灯時の場合、制御部は、照度センサの出力値に依存しない制御信号を照明装置へ出力する外光無視動作を電源が切られるまで行う。
【０００８】
特許文献２の照明制御装置は、外光追従動作において用いられる目標値を、被照射面のレイアウト変更によって変化する最小演算値に応じて設定することによって、上記レイアウト変更に対応することができる。
【先行技術文献】
【特許文献】
【０００９】
【特許文献１】特開平１１−１８５９７４号公報
【特許文献２】特開２００７−２６５８１１号公報
【発明の概要】
【発明が解決しようとする課題】
【００１０】
しかしながら、特許文献２の照明制御装置は、照度センサの出力値を調光比で除した演算値を定期的に演算することによって照度に対して正規化する処理を定期的に行う必要があるため、ハードウェア（演算装置）の負荷が大きくなるという問題があった。
【００１１】
また、特許文献２の照明制御装置は、外光がない夜間に演算した演算値を最小演算値と推定するため、少なくとも１日分の演算値を求めた後でなければ、最適な最小演算値を選択することができない。その結果、特許文献２の照明制御装置は、１日目に目標値を正しく設定することができず、目標値の設定に時間を要するという問題もあった。また、多数の演算値を記憶させる必要があるため、記憶容量の大きい記憶装置が必要であり、ハードウェア（記憶装置）の負荷が大きくなるという問題もあった。
【００１２】
本発明は上記の点に鑑みて為され、本発明の目的は、被照射面のレイアウト変更に対応させて明るさセンサの目標値を変更する必要があるか否かを判断するためのハードウェアの負荷を低減することができるとともに目標値の変更を早期に行うことを可能にする照明制御装置、この照明制御装置を含む照明制御システム、および照明制御方法を提供することにある。
【課題を解決するための手段】
【００１３】
請求項１に係る照明制御装置の発明は、光源と明るさセンサとに接続され、上記明るさセンサの検出値に応じて上記光源のオンオフのデューティ比を制御して上記光源をパルス点灯させる。上記明るさセンサは、上記光源からの光が照射される被照射面の明るさを検出する。請求項１の発明は、制御部と、算出部と、判断部とを備える。上記制御部は、上記明るさセンサの検出値を取得し、上記光源のパルス点灯周期以上の所定期間における上記検出値の平均値が目標値に近づくように上記デューティ比をフィードバック制御する。上記算出部は、上記光源がオン状態であるときの上記検出値と上記光源がオフ状態であるときの上記検出値との差分値を差分検出値として求める。上記判断部は、上記差分検出値と基準値との差分絶対値が所定の閾値以上である場合に、上記目標値の変更が必要であると判断する。上記基準値は、予め設定された値である。
【００１４】
請求項２に係る照明制御装置の発明は、請求項１の発明において、上記目標値を設定する設定部を備える。請求項２の発明において、上記基準値は、上記目標値が設定されたときの差分値である。上記差分値は、上記光源がオン状態であるときの上記検出値と上記光源がオフ状態であるときの上記検出値との差分値である。上記設定部は、上記判断部で上記目標値の変更が必要であると判断された場合に、上記基準値に対する上記差分検出値の比率と上記目標値との積を新たな目標値とする。
【００１５】
請求項３に係る照明制御装置の発明は、請求項１の発明において、上記目標値を設定する設定部を備える。請求項３の発明において、上記制御部は、上記判断部で上記目標値の変更が必要であると判断され、さらに上記光源がオフ状態であるときの上記検出値が略ゼロである場合に、上記目標値が設定されたときのデューティ比で上記光源をパルス点灯させる。上記設定部は、上記目標値が設定されたときのデューティ比で上記光源がパルス点灯するときの上記所定期間における上記検出値の平均値を新たな目標値とする。
【００１６】
請求項４に係る照明制御装置の発明は、請求項２または３の発明において、計時部と、記憶部とを備える。上記計時部は、上記光源のこれまでの点灯時間を累積した累積点灯時間を計時する。上記記憶部は、上記光源の点灯開始から寿命までの光出力の特性を予め記憶する。請求項４の発明において、上記設定部は、上記判断部で上記目標値の変更が必要であると判断された場合に、上記目標値が設定されたときの光出力に対する現在の光出力の劣化率を用いて新たな目標値を設定する。
【００１７】
請求項５に係る照明制御装置の発明は、請求項１の発明において、報知部を備える。上記報知部は、上記判断部で上記目標値の変更が必要であると判断された場合に、上記目標値の変更が必要である旨を報知する。
【００１８】
請求項６に係る照明制御装置の発明は、請求項１〜５のいずれか１項の発明において、上記算出部は、上記明るさセンサの検出値を上記光源のパルス点灯周期以下の時間間隔で取得する。上記算出部は、取得した複数の検出値の最大値を上記光源がオン状態であるときの検出値とし、上記複数の検出値の最小値を上記光源がオフ状態であるときの検出値とする。
【００１９】
請求項７に係る照明制御システムの発明は、請求項１〜６のいずれか１項の照明制御装置と、光源と、明るさセンサとを備える。上記明るさセンサは、上記光源からの光が照射される被照射面の明るさを検出する。
【００２０】
請求項８に係る照明制御方法の発明は、光源からの光が照射される被照射面の明るさを検出する明るさセンサの検出値に応じて上記光源のオンオフのデューティ比を制御して上記光源をパルス点灯させる。請求項８の発明は、第１のステップと、第２のステップと、第３のステップと、第４のステップとを有する。上記第１のステップは、上記明るさセンサの検出値を取得するステップである。上記第２のステップは、上記光源のオンオフ周期以上の所定期間における上記検出値の平均値が目標値に近づくように上記デューティ比をフィードバック制御するステップである。上記第３のステップは、上記光源がオン状態であるときの上記検出値と上記光源がオフ状態であるときの上記検出値との差分値を差分検出値として求めるステップである。上記第４のステップは、上記差分検出値と予め設定された基準値との差分絶対値が所定の閾値以上である場合に、上記目標値の変更が必要であると判断するステップである。
【発明の効果】
【００２１】
請求項１，７，８の発明では、光源がオン状態であるときの検出値と光源がオフ状態であるときの検出値との差分検出値と基準値との差分絶対値が所定の閾値以上になったときに明るさセンサの目標値の変更が必要であると判断する。その結果、請求項１，７，８の発明によれば、被照射面のレイアウト変更に対応させて目標値を変更する必要があるか否かを判断するためのハードウェアの負荷を低減することができるとともに、目標値の変更を早期に行うことを可能にする。
【００２２】
請求項２の発明によれば、目標値の変更が必要である場合に、基準値に対する差分検出値の比率と目標値との積を新たな目標値とすることによって、新たな目標値を自動的に設定することができ、その結果、利便性を高めることができる。
【００２３】
請求項３の発明によれば、光源からの光以外の光（太陽光などの外光）がないときの所定期間における検出値の平均値を新たな目標値とすることによって、新たな目標値の精度を高めることができる。
【００２４】
請求項４の発明によれば、目標値が設定されたときの光出力に対する現在の光出力の劣化率を用いて新たな目標値を設定することによって、光源の光出力の経時劣化を考慮して新たな目標値を設定することができる。これにより、請求項４の発明では、より高い精度の目標値を再設定することができる。
【００２５】
請求項５の発明によれば、目標値の変更が必要である旨を報知部が報知することによって、その旨をユーザに知らせることができるので、ユーザに対して新たな目標値の再設定を促すことができる。
【００２６】
請求項６の発明によれば、制御部から光源への調光信号のオンオフと光源のオンオフとが同期していない場合であっても、短時間ごとに取得された検出値の最大値と最小値とを抽出することによって、光源がオン状態であるときの検出値と光源がオフ状態であるときの検出値とを取得することができる。これにより、請求項６の発明では、専用の仕様を有する調光信号ではなく、汎用的な調光信号を利用することができる。
【図面の簡単な説明】
【００２７】
【図１】実施形態１に係る照明制御システムの構成を示すブロック図である。
【図２】同上に係る照明制御システムの使用形態を示す説明図である。
【図３】同上に係る照明制御システムにおいて、（ａ）が明るさセンサの出力電圧を示す図、（ｂ）が光源に流れる電流を示す図である。
【図４】同上の変形例に係る照明制御システムの構成を示すブロック図である。
【図５】実施形態２に係る照明制御システムの構成を示すブロック図である。
【図６】同上に係る照明制御システムにおいて、（ａ）が光源のランプ電力周波数特性を示す図、（ｂ）が明るさセンサの検知特性を示す図である。
【図７】同上に係る照明制御システムにおいて、（ａ）が光源の点灯電圧を示す図、（ｂ）が明るさセンサの検知タイミングを示す図である。
【図８】同上に係る照明制御システムにおいて、（ａ）が光源の点灯電圧を示す図、（ｂ）が明るさセンサの検知タイミングを示す図である。
【図９】実施形態３に係る照明制御システムの構成を示すブロック図である。
【図１０】同上に係る光源の光出力劣化を示す図である。
【図１１】実施形態４に係る照明制御システムの構成を示すブロック図である。
【発明を実施するための形態】
【００２８】
（実施形態１）
実施形態１に係る照明制御システム１は、図１に示すように、光源２と、光源２に高周波電力を供給する光源点灯部３と、光源２からの光が照射される被照射面の明るさを検出する明るさセンサ４と、光源２の点灯を制御する照明制御装置５とを備えている。本実施形態の照明制御システム１は、光源２と光源点灯部３と明るさセンサ４と照明制御装置５とが一体に設けられている。
【００２９】
光源２は、直列接続のＬＥＤ群が複数並列に接続されている。各ＬＥＤ群にはそれぞれ抵抗器Ｒ１が直列に接続されている。各ＬＥＤは、目視ではちらつきを感じないほどの高い周波数で点滅を繰り返す。つまり、各ＬＥＤは、それぞれパルス点灯する。ただし、各ＬＥＤはパルス点灯すればすべてよいわけではなく、一定のオフ期間が必要である。例えば、白色ＬＥＤには蛍光材料が含まれており、オン状態からオフ状態になった直後において、ＬＥＤは電流が流れていなくても蓄光現象で発光するが、これらの期間を除いて光としてオフ状態である期間が必要である。なお、２４時間光としてのオフ期間が必要ではなく、昼間自然光が入り照度一定制御の結果、デューティ比（調光レベル）を小さくし一定のオフ期間があればよい。
【００３０】
光源点灯部３は、直流電源回路部３１と、スイッチング素子３２と、駆動回路３３と、駆動回路制御部３４とを備えている。光源点灯部３は、パルス電流出力回路であり、スイッチング素子３２のオンオフによって光源２に高周波電力を供給する。直流電源回路部３１は、交流電源（商用電源）ＡＣからの交流電力を直流電力に変換する。スイッチング素子３２は、駆動回路３３によってオンオフを切り替える。駆動回路制御部３４は、照明制御装置５からの調光信号に応じてスイッチング素子３２がオンオフを切り替えるように駆動回路３３を制御する。上記より、光源点灯部３は、調光信号に応じて、光源２へ供給する高周波電力を調整して光源２を調光する。例えばパルス波形のオン・デューティ比を調整することにより光源２を調光する。つまり、光源点灯部３は、調光信号に同期して光源２をパルス点灯させる。
【００３１】
明るさセンサ４は、光源２からの光が照射される被照射面の照度を検出する照度センサなどであり、受光素子４１と、増幅器４２とを備えている。明るさセンサ４は、被照射面で反射された反射光ＥＲ，ＩＲ（図２参照）による明るさ（照度）を検出することによって、被照射面の明るさを検出する。被照射面としては、床面ＦＬや机上面ＤＥ（図２参照）などがある。明るさセンサ４は、覆いなどによって光源２の光ＩＤ（図２参照）の直接の入射が阻止され、被照射面での反射光ＥＲ，ＩＲのみが入射するようになっている。
【００３２】
受光素子４１は、例えばフォトダイオードであり、所定の受光エリアからの光を受光する。受光素子４１は、被照射面がこの受光エリア内に入るように照明制御装置５に取り付けられ、被照射面からの反射光ＥＲ，ＩＲを受光可能とする。増幅器４２は、受光素子４１の検知電圧信号を増幅して出力電圧として照明制御装置５へ出力する。
【００３３】
明るさセンサ４は、一般に、被照射面上には配置されず、図２の例のように天井面ＣＥに固定された照明制御装置５に一体化されたりしている。しかしながら、被照射面における反射光ＥＲ，ＩＲによる天井面ＣＥの照度は被照射面の照度に比例するから、明るさセンサ４の出力電圧が一定であれば、被照射面の照度は一定となる。
【００３４】
図１に示す照明制御装置５は、光源点灯部３を介して光源２に接続されているとともに、明るさセンサ４にも接続されている。照明制御装置５は、明るさセンサ４の出力電圧（検出値）に応じて光源２のオンオフのデューティ比を制御して光源２をパルス点灯させる。照明制御装置５は、制御部５１と、記憶部５２と、調光信号出力部５３と、算出部５４と、判断部５５と、設定部５６とを備えている。制御部５１と算出部５４と判断部５５と設定部５６とは、主としてマイクロコンピュータ（マイコン）などで構成されている。
【００３５】
ところで、本実施形態のようなＬＥＤ照明において光出力を調整（調光）する手法としては、一般的にパルス点灯のオン・デューティを調整するＰＷＭ（Pulse Width Modulation）制御と、白熱灯の調光で一般的な位相制御（白熱灯と互換性がある）とがある。ＰＷＭ制御と位相制御とには、ＬＥＤのオン期間とオフ期間とが存在する。しかしながら、人間がちらつきを感じない周波数（臨界融合頻度：critical fusion frequency）より高い周波数で点灯制御すれば、肉眼ではちらつきがわからない。また、ＰＷＭ制御と位相制御は、ＬＥＤに流す電流を制御する電流制御に比べて回路構成が簡単であり、マイコンなどで制御することが簡単である。さらに、ＰＷＭ制御は、位相制御に比べて低い調光レベルまで制御することができる。位相制御は、ＬＥＤのオン電圧の関係で制御可能な調光レベルに制限がある。本実施形態では、光源２の制御手法として、ＰＷＭ制御を採用している。ただし、光源２の制御手法は、ＰＷＭ制御に限定されず、他の制御であってもよい。
【００３６】
制御部５１は、明るさセンサ４の出力電圧を取得し、光源２のパルス点灯周期以上の所定期間における明るさセンサ４の出力電圧の平均値である平均電圧値Ｖと、記憶部５２に記憶されている目標値Ｖ０とを比較する。平均電圧値Ｖと目標値Ｖ０との差が所定の閾値以上である場合、制御部５１はデューティ比（調光レベル）を制御する。例えば平均電圧値Ｖが目標値Ｖ０より小さい場合、制御部５１はデューティ比を徐々に上げる（フェードイン制御）。上記のようにして、制御部５１は、平均電圧値Ｖが目標値Ｖ０に近づくように光源２のデューティ比をフィードバック制御する。制御部５１は、明るさセンサ４の出力電圧を変換してデジタル電圧値とするＡ／Ｄ変換部（図示せず）を有している。制御部５１は、このデジタル電圧値に基づいて光源２をフィードバック制御する。例えば、制御部５１は、ＰＷＭ波形制御信号などの調光信号を調光信号出力部５３に発生させて光源点灯部３を制御するように構成されている。なお、制御部５１は、平均電圧値Ｖを求める際に、明るさセンサ４の検出範囲に人間が入って、一時的に反射率が変化することを排除するために、移動平均処理などのノイズ除去演算処理することが望ましい。
【００３７】
記憶部５２は、例えばＥＥＰＲＯＭ（Electrically Erasable and ProgrammableRead Only Memory）やフラッシュメモリなどの不揮発性メモリである。記憶部５２は、フィードバック制御の目標となる目標値Ｖ０を記憶する。
【００３８】
調光信号出力部５３は、調光信号を光源点灯部３へ出力して、光源２の光出力レベルを調整する。調光信号は、例えば周波数１ｋＨｚのＰＷＭ信号であり、調光レベルに応じてオン・デューティが変化する信号である。位相制御の場合はトライアックなどのスイッチング素子をオンオフするタイミング信号でもよい。制御信号は、例えば指示する調光比に応じたデューティ比のＰＷＭ信号である。ここで、調光比とは、光源２の定格点灯時の光束に対する比をいう。
【００３９】
上記制御部５１および調光信号出力部５３の動作により、光源２の光ＩＤ（図２参照）以外の光である外光ＥＤが存在するときには、外光ＥＤによる照度の分だけ光源２の光出力を抑えることによって、光源２の消費電力を低減させることができる。
【００４０】
算出部５４は、明るさセンサ４の検出値（出力電圧）を瞬時値として取得する。つまり、算出部５４は、上記検出値としてオン期間の積分値を取得するのではなく、パルス点灯周期の最小オン期間に対して非常に短い微小時間の値を取得する。算出部５４は、光源２がオン状態であるときの出力電圧Ｖｏｎと光源２がオフ状態であるときの出力電圧Ｖｏｆｆとの差分電圧（Ｖｏｎ−Ｖｏｆｆ）（図３参照）を差分検出値ＶＬとして求める。算出部５４は、制御部５１で制御されたデューティ比および調光信号出力部５３の調光信号から、パルス点灯周期において、光源２がオン状態である期間と、光源２がオフ期間である期間とを認識することができる。
【００４１】
差分検出値ＶＬは、被照射面の明るさのうち、光源２からの光ＩＤの分を表わしている。光源２はデューティ比を変えて調光するため、被照射面の反射率に変化がない場合、光源２のデューティ比がどのように設定されていても、差分検出値ＶＬは常に一定となる。したがって、本実施形態では、差分検出値ＶＬを光源２のデューティ比で正規化する必要はない。
【００４２】
また、算出部５４は、目標値設定時に、明るさセンサ４の出力電圧の平均値を目標値Ｖ０として求める。つまり、算出部５４は、目標値設定時の平均電圧値Ｖを目標値Ｖ０とする。さらに、算出部５４は、目標値設定時の出力電圧Ｖｏｎと出力電圧Ｖｏｆｆとの差分電圧を基準値ＶＬ０として求める。目標値Ｖ０と基準値ＶＬ０とは記憶部５２に記憶される。
【００４３】
判断部５５は、差分検出値ＶＬと基準値ＶＬ０との差分絶対値｜ＶＬ−ＶＬ０｜と所定の閾値とを比較する。差分絶対値｜ＶＬ−ＶＬ０｜が閾値以上である場合、判断部５５は、被照射面のレイアウト変更によって被照射面の反射率などが変化したと判断し、目標値Ｖ０の変更が必要であると判断する。差分絶対値｜ＶＬ−ＶＬ０｜が閾値未満である場合、判断部５５は、目標値Ｖ０の変更は不要であると判断する。
【００４４】
設定部５６は、判断部５５で目標値Ｖ０の変更が必要であると判断された場合に、式１に示すように、基準値ＶＬ０に対する差分検出値ＶＬの比率（ＶＬ／ＶＬ０）を目標値Ｖ０に掛け合わせて新たな目標値Ｖ０ａとする。つまり、設定部５６は、明るさセンサ４の出力電圧に応じて目標値Ｖ０を補正する（机上面ＤＥ（図２参照）の反射率の変化に応じて目標値Ｖ０を補正する）。このときの差分検出値ＶＬを新たな基準値ＶＬ０として記憶部５２に記憶させる。
Ｖ０ａ＝Ｖ０×ＶＬ／ＶＬ０  （式１）
上記より、本実施形態の照明制御装置５は、明るさセンサ４に入射する反射光ＥＲ，ＩＲの中で反射光ＩＲだけを抽出し、目標値Ｖ０を設定する際に、常に記憶部５２に記憶された値と反射光ＩＲとを比較して変化が一定以上あれば、外光ＥＤも含めた反射光ＥＲ，ＩＲに対する目標値Ｖ０を補正することによって、レイアウト変更による影響を小さくすることができる。
【００４５】
次に、本実施形態に係る照明制御システム１を用いた照明制御方法について図１を用いて説明する。まず、照明制御装置５の制御部５１が、明るさセンサ４の出力電圧を取得し、光源２のオンオフ周期以上の所定期間における出力電圧の平均値である平均電圧値Ｖが目標値Ｖ０に近づくように光源２のデューティ比をフィードバック制御する。一方、算出部５４は差分検出値ＶＬ（＝Ｖｏｎ−Ｖｏｆｆ）を求める。その後、差分検出値ＶＬと基準値ＶＬ０との差分絶対値｜ＶＬ−ＶＬ０｜が所定の閾値以上である場合、判断部５５は、目標値Ｖ０の変更が必要であると判断する。判断部５５で目標値Ｖ０の変更が必要であると判断された場合、設定部５６は、式１に示すように新たな目標値Ｖ０ａを設定する。
【００４６】
以上、本実施形態では、光源２がオン状態であるときの出力電圧Ｖｏｎと光源２がオフ状態であるときの出力電圧Ｖｏｆｆとの差分検出値ＶＬと基準値ＶＬ０との差分絶対値｜ＶＬ−ＶＬ０｜が所定の閾値以上になったときに明るさセンサ４の目標値Ｖ０の変更が必要であると判断する。その結果、本実施形態によれば、被照射面のレイアウト変更に対応させて目標値Ｖ０を変更する必要があるか否かを判断するためのハードウェアの負荷を低減することができるとともに、目標値Ｖ０の変更を早期に行うことを可能にする。
【００４７】
また、本実施形態によれば、目標値Ｖ０の変更が必要である場合に、基準値ＶＬ０に対する差分検出値ＶＬの比率と目標値Ｖ０との積を新たな目標値Ｖ０ａとすることによって、新たな目標値Ｖ０ａを自動的に設定することができる。その結果、本実施形態によれば、利便性を高めることができる。
【００４８】
なお、本実施形態の変形例として、照明制御システム１は、図４に示すように、光源２と光源点灯部３とを一体とした照明器具と、明るさセンサ４と、照明制御装置５とをそれぞれ別体に設けてもよい。
【００４９】
（実施形態２）
実施形態２に係る照明制御システム１は、図５に示すように、光源２が照明制御装置５と別体に設けられている構成である。なお、実施形態１と同様の構成要素については、同一の符号を付して説明を省略する。
【００５０】
実施形態１では光源２のオンオフのタイミングが調光信号に同期するが、本実施形態では同期していない。したがって、本実施形態の算出部５４は、光源２のオンオフのタイミングを明るさセンサ４の出力電圧から取得する必要がある。
【００５１】
そこで、本実施形態の明るさセンサ４は、図６に示すように、パルス点灯周期より比較的短い時間間隔で高速に読み取る。算出部５４は、パルス点灯周期に対して非常に短い時間間隔で、明るさセンサ４の検出値（出力電圧）を瞬時値として取得する。算出部５４は、パルス点灯周期内で取得した複数の出力電圧のうち、最小電圧を読み取りオフ時の出力電圧と判断し、最大電圧を読み取りオン時の出力電圧と判断する。つまり、本実施形態の算出部５４は、明るさセンサ４の出力電圧を光源２のパルス点灯周期以下の時間間隔で取得する。算出部５４は、取得した複数の出力電圧の最大値を光源２がオン状態であるときの出力電圧とし、複数の検出値の最小値を光源２がオフ状態であるときの出力電圧とする。具体的には、図７に示すような出力電圧は、光源２がオン状態であるときの出力電圧となり、図８に示すような出力電圧は、光源２がオフ状態であるときの出力電圧となる。
【００５２】
また、実施形態１では随時目標値Ｖ０を補正するのに対し、本実施形態では外光ＥＤ（図２参照）がない夜間に目標値Ｖ０を補正する。なお、レイアウト変更などは頻繁に行われないため、目標値Ｖ０の変更を夜間まで待っても省エネルギー効果にはほとんど影響がない。
【００５３】
制御部５１は、運用時は従来通りに、平均電圧値Ｖと、記憶部５２に記憶されている目標値Ｖ０とを比較して、差分絶対値｜Ｖ−Ｖ０｜が所定の閾値以上である場合、デューティ比を制御する。例えば目標値Ｖ０のほうが平均電圧値Ｖより大きい場合はデューティ比を徐々に上げる（フェードイン制御）。
【００５４】
ところで、夜間、出力電圧Ｖｏｆｆが第２の閾値以下であって、レイアウト変更などがない場合、フィードバック制御が収束すると、調光レベルＬは、目標値Ｖ０が設定されたときの調光レベルＬ０になる。第２の閾値は略ゼロである。ところが、レイアウト変更がある場合、Ｌ≠Ｌ０となる。厳密には明るさセンサ４の検出誤差ΔＬを考慮して、Ｌ＞（Ｌ０＋ΔＬ）となる。この場合、Ｌ０に向けて調光レベルＬを徐々に変化させる。調光レベルＬがＬ０になったときの平均電圧値Ｖを新たな目標値Ｖ０ａとして記憶部５２に記憶させる。その後、制御部５１は、新たな目標値Ｖ０ａを用いてフィードバック制御を継続する。つまり、本実施形態の制御部５１は、判断部５５で目標値Ｖ０の変更が必要であると判断され、さらに光源２がオフ状態であるときの出力電圧Ｖｏｆｆが略ゼロである場合に、目標値Ｖ０が設定されたときの光源２のデューティ比で光源２をパルス点灯させる。なお、本実施形態の記憶部５２には、目標値Ｖ０と、目標値設定時における調光レベルＬ０とが記憶されている。
【００５５】
本実施形態の設定部５６は、外光ＥＤがないと判断して、目標値Ｖ０が設定されたときのデューティ比で光源２がパルス点灯するときの所定期間における出力電圧の平均値を新たな目標値Ｖ０ａとする。つまり、外光ＥＤがない夜間に新たな目標値Ｖ０ａが設定される。
【００５６】
以上、本実施形態によれば、光源２からの光ＩＤ以外の光（太陽光などの外光ＥＤ）がないときの所定期間における出力電圧の平均値を新たな目標値Ｖ０ａとすることによって、新たな目標値Ｖ０ａの精度を高めることができる。
【００５７】
また、本実施形態によれば、制御部５１から光源２への調光信号のオンオフと光源２のオンオフとが同期していない場合であっても、短時間ごとに取得された出力電圧の最大値と最小値とを抽出することによって、光源２がオン状態であるときの出力電圧Ｖｏｎと光源２がオフ状態であるときの出力電圧Ｖｏｆｆとを取得することができる。これにより、本実施形態では、専用の仕様を有する調光信号ではなく、汎用的な調光信号を利用することができる。
【００５８】
なお、本実施形態では、自然光のない状態を代表的な夜間としたが、照明制御装置５が自然光（外光）のない状態を検出する機能を有しているため、天候が悪い日やカーテンやブラインドを閉めて夜間状態を実現してもよく、必ずしも夜間まで待つ必要はない。
【００５９】
（実施形態３）
実施形態３に係る照明制御システム１は、図９に示すように照明制御装置５が計時部５７をさらに備えている点で、実施形態１に係る照明制御システム１（図１参照）と相違する。なお、上記以外の点については、本実施形態の照明制御システム１は、実施形態１の照明制御システム１と同様である。
【００６０】
光源２は、図１０に示すように、使用している間に光出力（光束）が劣化（低下）していく。このため、本実施形態では、目標値Ｖ０を設定するときに光源２の劣化を考慮することによって、目標値Ｖ０の設定精度を向上させることができる。
【００６１】
図１に示す計時部５７は、調光信号出力部５３から調光信号を取得して、光源２の点灯時間を計時する。計時部５７は、タイマ回路などである。さらに、計時部５７は、各回の点灯時間の結果を用いて、光源２のこれまでの点灯時間を累積した累積点灯時間を計時する。
【００６２】
本実施形態の記憶部５２は、図１０に示したランプ交換直後に対する光出力の比率Ｌｔをデータテーブルとして記憶する。つまり、本実施形態の記憶部５２は、光源２の点灯開始から寿命までの光出力の特性を予め記憶する。
【００６３】
本実施形態の設定部５６は、判断部５５で目標値Ｖ０の変更が必要であると判断された場合に、目標値Ｖ０が設定されたときの光出力に対する現在の光出力の劣化率を用いて新たな目標値Ｖ０ａを設定する。光源２の光出力の劣化を考慮した新たな目標値Ｖ０ａは式２のようになる。
Ｖ０ａ＝Ｌｔ×Ｖ０×ＶＬ／ＶＬ０  （式２）
以上、本実施形態によれば、目標値Ｖ０が設定されたときの光出力に対する現在の光出力の劣化率を用いて新たな目標値Ｖ０ａを設定することによって、光源２の光出力の経時劣化を考慮して新たな目標値Ｖ０ａを設定することができる。これにより、本実施形態では、より高い精度の目標値Ｖ０を再設定することができる。
【００６４】
なお、本実施形態の変形例として、計時部５７を実施形態２の照明制御装置５（図５参照）に適用してもよい。
【００６５】
（実施形態４）
実施形態４に係る照明制御システム１は、図１１に示すように照明制御装置５が報知部５８をさらに備えている点で、実施形態２に係る照明制御システム１（図５参照）と相違する。なお、上記以外の点については、本実施形態の照明制御システム１は、実施形態２の照明制御システム１と同様である。
【００６６】
報知部５８は、判断部５５で目標値Ｖ０の変更が必要であると判断された場合に、目標値Ｖ０の変更が必要である旨を報知する。また、報知部５８は、光源２がオフ状態であるときの明るさセンサ４の出力電圧Ｖｏｆｆ（パルス点灯周期内の最小電圧）が第２の閾値を超えている場合も、赤色ＬＥＤなどでエラー表示をする。
【００６７】
以上、本実施形態によれば、目標値Ｖ０の変更が必要である旨を報知部５８が報知することによって、その旨をユーザに知らせることができるので、ユーザに対して新たな目標値Ｖ０ａの再設定を促すことができる。
【００６８】
なお、本実施形態の変形例として、報知部５８を実施形態１の照明制御装置５（図１参照）に適用してもよい。
【００６９】
また、実施形態１〜４の変形例として、光源２は、有機ＥＬや白熱灯であってもよい。白熱灯の調光方式としては、一般的な位相制御でよい。なお、位相制御である場合、交流電源ＡＣの交流電力を直流電力に変換する機能は不要である。
【符号の説明】
【００７０】
１  照明制御システム
２  光源
４  明るさセンサ
５  照明制御装置
５１  制御部
５２  記憶部
５４  算出部
５５  判断部
５６  設定部
５７  計時部
５８  報知部
【図１】
0005411724.tif 000002
【図２】
0005411724.tif 000003
【図３】
0005411724.tif 000004
【図４】
0005411724.tif 000005
【図５】
0005411724.tif 000006
【図６】
0005411724.tif 000007
【図７】
0005411724.tif 000008
【図８】
0005411724.tif 000009
【図９】
0005411724.tif 000010
【図１０】
0005411724.tif 000011
【図１１】
0005411724.tif 000012